(57)【要約】      （修正有）【課題】製作が容易で、小型で、振動、騒音の発生の少ない、医療用に最適なＯＣＴ装置を提供する。【解決手段】低コヒーレンス光源のＳＬＤ９と、低コヒーレンス光源からの光を被検体への照射光と参照光とに分割する２分割用光ファイバカプラ１２と、参照光を高速で直線状の往復運動により遅延させる高速光遅延装置２と、被検体から回帰する光と高速光遅延装置から回帰する参照光とを合波する２分割用光ファイバカプラ１２と、２分割用光ファイバカプラ１２で合波された干渉光を検出する干渉光検出器１３とを備えてなる。【選択図】図１
0003167522.tif 000002
【実用新案登録請求の範囲】
【請求項１】
低コヒーレンス光源と、同低コヒーレンス光源からの光を被検体への照射光と参照光とに分割する２分割用光ファイバカプラと、前記参照光を高速で直線状の往復運動により遅延させる高速光遅延装置と、前記被検体から回帰する光と前記高速光遅延装置から回帰する参照光とを合波する前記２分割用光ファイバカプラと、
同２分割用光ファイバカプラで合波された干渉光を検出する干渉光検出器とを備えてなることを特徴とするＯＣＴ装置。
【請求項２】
前記高速光遅延装置が、高速で直線状に往復運動する高速リニヤアクチエータと、同高速リニヤアクチエータの往復運動体の前端に直線方向に光を反射するように配設された反射鏡と、さらにその前方に光ファイバに接続されたコリメートレンズを配設してなることを特徴とする請求項１に記載のＯＣＴ装置。
【考案の詳細な説明】
【技術分野】
【０００１】
本考案は、ＯＣＴ（Ｏｐｔｉｃａｌ Ｃｏｈｅｒｅｎｃｅ Ｔｏｍｏｇｒａｐｈｙ）に係り、特に高速直線状往復運動体を用いた高速光遅延装置による光診断方法及びその装置に関する。
【背景技術】
【０００２】
従来、例えば眼科用等の製品の場合、データ取得を高速化するために、参照光側に高速光遅延装置として、複数個の直角プリズムを等間隔に配置した円板を置き、高速で回転させて、これにより深さ方向の走査を高速で行っている。
また、被検体サンプル側に配設された例えば、光スキャナにて、データ取得を高速化する方式がある。
【先行技術文献】
【特許文献】
【０００３】
【特許文献１】特開２００２−３１０８９５号公報
【特許文献２】特開２００２−３１０８９９号公報
【特許文献３】特開２００２−１３９４２１号公報
【考案の開示】
【考案が解決しようとする課題】
【０００４】
しかしながら、前記回転方式における円板は小型化することは困難でかつ、高速回転させるためには精密なバランス調整等高度な技術が必要でありまた、光学系も複雑である。さらに、円板の回転により参照光があたるプリズムは、一つのプリズムから次のプリズムへと切り替わってゆく時参照光がプリズムに当らない瞬間ができ、この間はデータが取得できない。
【０００５】
また、前記被検体サンプル側に配設された例えば、光スキャナにてデータ取得を高速化する方式では、照射光が扇型に斜めに照射されるセクター方式であるため、被検体から戻る信号光の量が少なくなる欠点があり、そして照射光を平行に照射するためには、レンズ等による補正が必要であった。
さらに、構造上プローブ内に光スキャナが入るため、プローブが振動や衝撃に弱くなり、そして、前記光スキャナ自体も高価であった。
【課題を解決するための手段】
【０００６】
上記に鑑み本願考案者等は鋭意実験研究の結果、下記の手段によりこれらの問題を解決した。
（１）低コヒーレンス光源と、同低コヒーレンス光源からの光を被検体への照射光と参照光とに分割する２分割用光ファイバカプラと、前記参照光を高速で直線状の往復運動により遅延させる高速光遅延装置と、前記被検体から回帰する光と前記高速光遅延装置から回帰する参照光とを合波する前記２分割用光ファイバカプラと、同２分割用光ファイバカプラで合波された干渉光を検出する干渉光検出器とを備えてなることを特徴とするＯＣＴ装置。
（２）前記高速光遅延装置が、高速で直線状に往復運動する高速リニヤアクチエータと、同高速リニヤアクチエータの往復運動体の前端に直線方向に光を反射するように配設された反射鏡と、さらにその前方に光ファイバに接続されたコリメートレンズを配設してなることを特徴とする前項（１）に記載のＯＣＴ装置。
【考案の効果】
【０００７】
本考案によれば次のような優れた効果を発揮する。
参照光は、参照鏡を高速で直線状上に往復運動させる高速光遅延機構によって反射させるため、簡単な構造の高速光遅延装置を形成することができる。
また、本方式では、参照鏡が直線状に高速で往復するため、光学系は最も単純である。
かつ、前記従来技術の回転円板方式と異なり、常に参照光が反射鏡にあたっているため、参照鏡の動作としては好適である。
従って、本考案に係る高速光遅延装置を採用することにより、製作が容易でかつ、性能の優れたＯＣＴ装置を提供することができる。
また、被検体サンプル側に配設された前記光スキャナによって、データ取得を高速化する照射光を扇型に斜めに照射するセクタ方式と異なり、直線方向に照射するリニア方式のため、被検体から戻る信号光の量が多く、また走査の中心位置に影響されない。
前記高速光遅延装置に、高速で直線状に往復運動する高速リニヤアクチエータを採用したため、小型で、振動、騒音の発生の少ない、例えば医療用に最適なＯＣＴ装置を作製することができる。
【図面の簡単な説明】
【０００８】
【図１】本考案の高速光遅延装置を配設したＯＣＴ装置の構成説明のブロック図
【図２】高速光遅延装置の縦断面図
【図３】他の高速光遅延装置の縦断面図
【考案を実施するための最良の形態】
【０００９】
考案を実施するための最良の形態を以下図面に基づいて説明する。
図１は、本考案の高速光遅延装置を配設したＯＣＴ装置の構成説明のブロック図で、本事例は、歯科用光診断装置である。
図において、１は診断用プローブ、２は高速光遅延装置、３は固定ステージ、４は高速リニヤアクチエータ、５は反射鏡、６は参照光、７はコリメートレンズ、８は深さ方向走査、９はＳＬＤ、１０は光ファイバ、１１は光サーキュレータ、１２は光ファイバカップラ、１３は検出器、１４は信号線、１５は信号処理部、１６はコンピュータ、１７は表示部、１８は光断層画像、１９は横又は縦方向走査、２０は信号光、２１は歯部、２２は歯、２３は歯肉を示す。
【００１０】
本図は、低コヒーレンス光源のＳＬＤ９からの光は、光ファイバ１０から光サーキュレータ１１経由２分割用光ファイバカプラ１２で、被検体の歯部２１へ信号光２０と参照光６とに分割し、前記参照光６は、参照鏡である反射鏡５を高速で直線状に往復運動させる高速光遅延装置２によって反射鏡５で反射回帰して、被検体の歯部２１から回帰する光と共に、前記２分割用光ファイバカプラ１２で合成された干渉光を検出器１３で検出するようにしたＯＣＴ装置における高速直線状往復運動体による高速光遅延を発生させる方法を示し、また、
【００１１】
本ブロック図の主要部分は、低コヒーレンス光源のＳＬＤ９と、同ＳＬＤ９からの光を被検体歯部２１への信号光２０と参照光６とに分割する２分割用光ファイバカプラ１２と、前記参照光６を高速で直線状の往復運動により遅延させる高速光遅延装置２と、前記被検体歯部２１から回帰する光と前記高速光遅延装置２から回帰する参照光６とを合波する前記２分割用光ファイバカプラと１２と、同２分割用光ファイバカプラ１２で合波された干渉光を検出する検出器１３（バランスレシーバ）を備えてなる。
また、周辺の、歯科診断用プローブ１は、深さ方向に対し垂直方向の走査（横又は縦の走査１９）を行い、信号光２０を歯部２１に照射及び回帰させる。
また、検出器１３からの信号は、信号処理部１５経由コンピュータ１６に入力され、表示器１７には光断層画像１８が表示されて、全体でＯＣＴ装置を形成する。
【００１２】
本ＯＣＴ装置における前記高速光遅延装置２について説明する。
図２は高速光遅延装置の縦断面図である。
図において、２５はベース、２６はステー、２７通線孔、２８は内側ヨーク、２９はブッシュ、３０は永久磁石、３１は巻線コイル、３２はコイルボビン、３３は外側ヨーク、３４はカラー、３５は前カバー、３６は後カバー、３７はコイル引き出し線、３８はコネクタ、３９は駆動信号線、４０は駆動回路、４１は往復運動方向、４２は隙間、４３はシャフトを示す。
【００１３】
高速光遅延装置２はベース２５とステー２６の上面に固定されている。
内部は断面図に示したように、高速リニヤアクチエータ４は、直線状に往復運動方向４１のように動くコイルボビン３２があり、同コイルボビン３２の内周面は、内側ヨーク２８とその外周に固定されたブッシュ２９とからなるボビンに、狭小な可動用の隙間４３を有して接している。
そして、内側のヨーク２８は外側のヨーク３３及び前カバー３５と後カバー３６で形成される外装容器の後カバー３６に固定されている。
前記コイルボビン３２の外周には巻線コイル３１が配設されており、同巻線コイル３１の外周には、前記外側ヨーク３３の内周に固着されたリング状の永久磁石３０が近接して設けられている。
また、前記高速理リニヤアクチエータ２４のコイルボビン３２の前面中央には反射鏡５が固着されており、その前方にはコリメートレンズ７が前カバー３５の中央に配置され、光ファイバ１０に接続されている。
さらに、前記巻線コイル３１のコイル引き出し線３７が、前カバー３５に設けられた通線孔２７から外部に引き出され、前記外装容器に配設されたコネクタ３８を経由して、駆動信号線３９により外部の駆動回路４０に接続されている。
【００１４】
上記の作用は、外部の駆動回路４０から巻線コイル３１に送出される正負の駆動信号（５０〜５００Ｈｚ）によって、前記その外周に近接して設けられた永久磁石３０との磁界の正逆方向の変化に伴い、前記コイルボビン３２は前後に移動し、同コイルボビン３２の前面中央に固着された反射鏡５も前後に直線的に移動する。
また、同反射鏡５の前面には、コリメートレンズ７が配置されており、その先には光ファイバ１０が設けられているので、
光ファイバ１０からの前記ＳＬＤ９の光は、コリメイトレンズ７を経由し前記前後に直線的に移動する反射鏡５にあたって反射され、前記深さ方向走査８用として、干渉光を発生させる参照光６が回帰される。
この参照光６は、高速で直線状に往復運動する高速リニヤアクチエ−タ４に固着された反射鏡５により反射されるため、簡単な構造の高速光遅延装置２を形成することができる。従って、光学系は最も単純であり、また、常に参照光６が反射鏡５にあたっているため、参照鏡の動作としては理想的である。
【００１５】
図２は他の高速光遅延装置の縦断面図である。
図において、４’は高速リニヤアクチエータ、４３はシャフトを示す。
高速光遅延装置２はベース２５とステー２６の上面に固定されている。
内部は断面図に示したように、本事例の高速リニヤアクチエータ４’は、直線状に往復運動方向３９のように動く肉厚円筒状の永久磁石３０があり、同永久磁石３０の内周面は、シャフト４３と狭小な可動用の隙間４２を有して接している。
そして、シャフト４３の両端は、外側のヨーク３３及び前カバー３５と後カバー３６で形成される外装容器の、前カバー３５と後カバー３６の中央に固定されている。
また、前記永久磁石３０の外周には、前記外側ヨーク３３の内周に固着されたリング状の巻線コイル３１が近接して設けられている。
また、前記永久磁石３０の前面には反射鏡５が固着されており、その前方にはコリメートレンズ７が前カバー３５に配置され、光ファイバ１０に接続されている。
さらに、前記巻線コイル３１のコイル引き出し線３７が、前カバー３５に設けられた通線孔２７から外部に引き出され、外部の駆動回路３８に接続されている。
【００１６】
上記の作用は、外部の駆動回路３８から巻線コイル３１に送出される正負の駆動信号（５０〜５００Ｈｚ）によって、前記その内周の近接して設けられた永久磁石３０との磁界の正逆方向の変化に伴い、前記永久磁石３０は前後に移動し、同永久磁石３０の前面に固着された反射鏡５も前後に直線的に移動する。
また、同反射鏡５の前面には、コリメートレンズ７が配置されており、その先には光ファイバ１０が設けられているので、光ファイバ１０からの前記ＳＬＤ９の光は、
コリメイトレンズ７を経由し前記前後に直線的に移動する反射鏡５にあたって反射され、
前記深さ方向走査８用として、干渉光を発生させる参照光６が回帰される。
この参照光６は、高速で直線状に往復運動する高速リニヤアクチエ−タ４’に固着された反射鏡５により反射されるため、簡単な構造の高速光遅延装置２を形成することができる。
従って、光学系は最も単純であり、また、常に参照光６が反射鏡５にあたっているため、参照鏡の動作としては好適である。
【符号の説明】
【００１７】
１：診断用プローブ
２：高速光遅延装置
３：固定ステージ
４、４’：高速リニヤアクチエータ
５：反射鏡
６：参照光
７：コリメートレンズ
８：深さ方向走査
９：ＳＬＤ
１０：光ファイバ
１１：光サーキュレータ
１２：光ファイバカップラ
１３：検出器
１４：信号線
１５：信号処理部
１６：コンピュータ
１７：表示部
１８：光断層画像
１９：横又は縦方向走査
２０：信号光
２１：歯部
２２：歯
２３：歯肉
２５：ベース
２６：ステー
２７：通線孔
２８：内側ヨーク
２９：ブッシュ
３０：永久磁石
３１：巻線コイル
３２：コイルボビン
３３：外側ヨーク
３４：カラー
３５：前カバー
３６：後カバー
３７：コイル引き出し線
３８：コネクタ
３９：駆動信号線
４０：駆動回路
４１：往復運動方向
４２：隙間
４３：シャフト
【図１】
0003167522.tif 000003
【図２】
0003167522.tif 000004
【図３】
0003167522.tif 000005